(57)【要約】【解決課題】陰茎根部の余分な包皮を圧漬して無血、無縫合で切除する手術を正確、確実で、そして迅遮に実行可能な包茎手術具を捷供する。【解決手段】陰茎の周囲に嵌装される円筒体と、先端にこの円筒体を抜け出し不能に嵌装する孔を備える基台と、前記円筒体の先端に装着され、前記基台側の面に係合溝が設けられたリングと、先端側に前記係合溝に係合する係止片を備え、碁台上で揺動可能なレバーと、このレバーの基端側を前記基台側に押圧してその先端側をレバーに押接する押圧部材と、を備える。【選択図】図１
2007152133.tif 000002
【特許請求の範囲】
【請求項１】
陰茎の周囲に嵌装される円筒体と、
先端にこの円筒体が嵌装される孔を備える基台と、
前記円筒体の先端に装着され、前記基台側の裏面に係合溝が設けられたリングと、
先端側に前記係合溝に係合する係止片を備え、前記基台上で揺動可能なレバーと、
このレバーの基端側を前記基台側に押圧し、前記基台に形成された凹溝内に支持された脚を中心に前記レバーを揺動させて、前記レバーの先端側の前記係止片を前記リングの前記裏面の前記係合溝に押接する押圧部材と、を備え、
前記円筒体の先端側が前記基台の前記孔に当該基台の裏面から挿通され、前記押圧部材が前記レバーの基端側を前記基台に押圧した際に、前記円筒体の基端のテーパが前記孔に均等に圧接されてなる手術具。
【請求項２】
前記係合溝が前記リングの裏面に複数放射状に刻設され、当該複数の係合溝は前記リングの中心に対して対象になるように形成されてなり、前記一対の係止片と前記リングの裏面の前記係合溝とを合わせて、当該係止片を前記リングの裏面から前記係合溝に固定する請求項１記載の手術具。
【発明の詳細な説明】
【技術分野】
【０００１】
この発明は男性性器の包茎手術に使用される手術具に係わり、特に無血、傷口の無縫合に適した包茎手術具に関する。
【背景技術】
【０００２】
一般に、包茎手術は、陰茎周囲の余分な包皮をメス等によって切除することを内容とするものであるが、亀頭周囲の包皮は感受性が鋭敏であることから、この部分を余分な皮膚として切除することを避けることが望ましい。したがって、従来より、陰茎周囲の余分な包皮のうち、陰茎根部の包皮を切除できるようにした、包茎手術具が提案されている。
【０００３】
このような包茎手術具として、例えば、特公昭52-32196号、特開昭51-99896号で提案されたものが存在する。この包茎手術具は、台盤上に中間支点を中心として揺動自在のレバーを設け、その一端をボルトに螺着して押圧し、反対端に形成したフォークを台盤に穿設した円孔に下方から挿入された下部に外方ヘテーパーし、且つ円孔よりも大径のスカートを備えた円筒の上端に螺着したリングの下面に当接するようにし、更に該円孔に下方から嵌装した環片の上方内周の鈍縁をスカートに圧接するように構成されている。
【０００４】
この包茎手術具によれば、使用に際し先ず陰茎を円筒内に嵌入しこれを陰茎の根部まで動かし、スカートの下方において陰茎の余分な皮膚を引き出し、この皮膚をスカート上で反転した状態を保持する。次に、円筒とともに陰茎を下方から環片の円孔内に突入させた後、円筒の上端にリングを螺着し、その下面にフォークを接し、ボルトにナットを螺合させることによりレバーを、支点を中心にフォーク側が台盤から離間する方向に揺動させる。
【０００５】
この結果、円筒のスカート上で反転した余分な包皮はスカートと環片の鈍縁との間で強圧され、皮膚の内部血管が圧潰されたニカワ色の凝固組繊となるため、係る部分をメス等で切除しても出血することがなく、この部分を縫合することも不要となる。この後、手術具を手術時とは逆の順番で取り外すことにより、包茎手術が完了する。
【特許文献１】特公昭52-32196号公報
【特許文献２】特開昭51-99896号公報
【発明の開示】
【発明が解決しようとする課題】
【０００６】
しかしながら、この従来の包茎手術具では、二股状に形成されたフォークの各先端がリングの下面に接しているだけであるため、フォークによってリングを台盤から離間する方向に強く付勢する際にフォークとリング表面との間で滑りが生じる等して、リングを台盤に対して平行な状態を維持しつつ付勢することが困難となる。この種の包茎手術具においてこのような事態が生じると、リングが円筒体の表面に螺合されていることから、円筒自体の付勢も不均一となって円筒のスカートの全周が環片の円孔に均一に圧接されないことになって、円筒のスカートと環片の円孔との間に隙間が残り、この部分にある包皮の強圧が不十分に留まることになる。したがって、この部分での包皮の圧潰が不完全になって包皮の切除によって出血を伴いこの部分の縫合を必要とする。
【０００７】
一方、このようなことを避けようとすると、レバーのフォークとリングとの圧接、円筒と環片との組み付け等を何度もやり直さなければならず、しかもかなりな熱練を必要とするのが現状であった。
【０００８】
そこで、この発明はこのような従来の間題点を解決するために、陰茎根部の余分な包皮を圧漬して無血、無縫合で切除する手術を正確、確実で、そして迅遮に実行可能な手術具を捷供することを目的とする。
【課題を解決するための手段】
【０００９】
本発明はこのような目的を達成するために、本発明は、陰茎の周囲に嵌装される円筒体と、先端にこの円筒体が嵌装される孔を備える基台と、前記円筒体の先端に装着され、前記基台側の裏面に係合溝が設けられたリングと、先端側に前記係合溝に係合する係止片を備え、前記基台上で揺動可能なレバーと、このレバーの基端側を前記基台側に押圧し、前記基台に形成された凹溝内に支持された脚を中心に前記レバーを揺動させて、前記レバーの先端側の前記係止片を前記リングの前記裏面の前記係合溝に押接する押圧部材と、を備え、前記円筒体の先端側が前記基台の前記孔に当該基台の裏面から挿通され、前記押圧部材が前記レバーの基端側を前記基台に押圧した際に、前記円筒体の基端のテーパが前記孔に均等に圧接され、さらに、前記係合溝が前記リングの裏面に複数放射状に刻設され、当該複数の係合溝は前記リングの中心に対して対象になるように形成されている、手術用具であることを特徴とするものである。
【００１０】
本発明によれば、前記レバーの先端の係止片はリングの溝に係合していることから、レバーの揺動の開始時からその終了時までこの係合状態が維持され、レバーがリングを均一に押圧付勢することが可能となって、簡単・迅速・そして確実に円筒体を基台の孔に対して抜け出し不能な状態を維持しながら均等に圧接される。これ故、円筒体と基台の孔間で陰茎包皮を均一、確実に圧潰することが可能となる。
【発明の効果】
【００１１】
以上説明したように、本発明に係わる手術具によれば、陰茎根部の余分な包皮を圧潰して無血、無縫合で切除する処置を、正確、確実で、そして迅速に実行可能である。
【発明を実施するための最良の形態】
【００１２】
次に本発明の実施形態について説明する。図１は手術具の組付斜視図を示すものであり、図２ないし４は組付完了状態にある包茎手術具の全体構成を示すものであり、図２はその平面図、図３は右側面図、図４は正面図をそれぞれ示す。この包茎手術具は、先端側に丸穴１０を有し、かつ基端にクランプボルト１２が立設された基台１４と、この基台１４の表面から凹設された凹溝１６を支点として図３の矢示方向に往復揺動可能なレバー１８と、前記基台１４のクランプボルト１２に蝶合するナット２０と、前記基台の丸穴１０に先端側から嵌装され、基端がテーパ状（スカート状)に形成された円筒２２と、この円筒２２の先端に螺合するリング２４とから構成されている。
【００１３】
前記基台４は、中間から基端側に進むにしたがって幅が序々に狭くなるように形成され、この部分を手で保持可能なように構成されている。また、その先端側は陰茎回りに嵌装された円筒２２を収容可能なように、比較的大きな径で丸穴１０に沿ったほぼ円形状に形成されている。
【００１４】
図３に示すように、基台１４の丸穴１０は表面２６から拡大する径を持ったテーパ状に形成されている。そして、この基台１４のほぼ基端には、基台の表面２６に直角に前記クランプボルト１２が立設されている。
【００１５】
基台１４の表面から凹設された前記凹溝１６は、基台の長さ方向に直角でほぼ基台の長さ方向の中間位置で形成されている。レバー１８の裏面から基台１４に向けて直角に脚２７（後に詳説）が突設され、この脚の先端の曲面状に対応した曲面を持って前記凹溝１６が設けられている。したがって、レバー１８は、その脚２７が凹溝１６内に収容された状態でこの凹溝を中心として揺動する。
【００１６】
さらにレバー１８について詳説すると、このレバーは、基端に前記クランプボルト１２が貫通可能な長穴２８を備えるとともに、先端側が二股状に形成されたフォーク３０を備えている。
【００１７】
このフォーク３０は、前記長穴１０に対応するように円形状に膨出して形成され、その先端は前記長穴１０のほぼ半円位置で丁度終了している。そして、フォークの二股の両先端には、前記基台１４とは反対側の直角方向に僅かに突出した係止片３２が設けられている。
【００１８】
図５に示すように、この係止片の終端３３は短直線状に形成され、リング２４の下面に形成された溝３４に係合する。レバー１８の中間より僅かに先端寄りには、断面略三角状でレバーが揺動する際の中心を形成するとともに、基台１４に対してレバーを支持するための脚２７が前記凹溝１６に向かって突出して形成されている。
【００１９】
前記リング２４は前記基台の先端側の円形部分の直径にほぼ等しい径を持って構成されており、図１および図５に示すように、複数の溝３４がリングの基台１４側の面に放射状に刻設されている。
【００２０】
この溝３４はリングの中心に対して少なくとも一対が点対象となるように形成されている。前記フォーク係止片３２はリングの中心位置にある溝内に係合するように構成されている。
【００２１】
前記円筒体２２の先端側には雄ネジが設けられ、これにリング内周に設けられたリング２４の雌ネジが螺着することにより両者を固着することが可能となる。レバーの基端側に設けられた長穴２８を貫通した前記クランプボルトの先端にはナット２０が螺着される。
【００２２】
このナット２０をクランプボルトに向かって強力に螺合することにより、ナット２０の裏面がレバー１８の表面を押圧し、したがってレバーを前記脚部３６および凹溝１６を中心として図３の矢示Ａ方向に揺動させる。
【００２３】
前記円筒体２２の先端側が基台１４の先端丸穴１０の基台裏面から挿通され、円筒体２２の基端のテーパ部２３が丸穴に当接して丸穴から抜け出し不能に基台に保持される。すなわち、丸穴１０は基台の表面から拡大するテーパ状に形成され、この丸穴のテーパ部分１１の傾斜角度は円筒体のテーパ部分の傾斜角度とほぼ等しく形成されているとともに、円筒体のテーパ部分２７の最基端の径は、前記丸穴のテーパ部分１１の径よりも短く形成されている。
【００２４】
次にこの包茎手術具の使用方法を、図６を用いて説明する。図６は陰茎５０にこの手術具を装着した完成図を示す。この完成状態を順を追って説明すると、先ず、最初に円筒体２２を陰茎５０の先端より根部まで嵌入し、その根部において余分な包皮をピンセット等で引き出し、円筒体の基端側にあるテーパ部分の回りにまくり上げて拡げる。この時、包皮部に予め描いた手術予定線を参考にして包皮のまくり上げ量を調整すると良い。
【００２５】
次いで、円筒体２２の先端側から基台１４の丸穴１０内に、基台１４の裏面から当該円筒体をそのテーパ部２７が丸穴のテーパ部分１１に当接するまで挿入する。さらに、円筒体２２の先端にリング体２４をしっかりと螺着し、この後、レバーの基端の長穴２８にクランプボルト１２を貫通させながら、脚部３７を基台１４の凹溝１６内に収容するとともに、フォーク３０先端の係止片３２がリング２４の裏面の溝３４に係合するようにする。
【００２６】
次いで、前記レバ一１８を前記クランプボルト１２の先端から螺着させるとともに、円筒体２２のテーパ部２３と丸穴１０のテーパ部１１との間にある余分な包皮５２の長さをビンセット等で陰茎の全周に渡って均一になるようにさらに調整することもできる。この状態からナット２０をクランプボルト１２に強く蝶着すると、レバー１８の基端がナット２０によって強力に挿入されることになり、レバーはその脚部３７を中心にしてその先端が、図３において既に説明したように、矢示Ａ方向に揺勧する。この時、前記レバー１８のフォーク３０の先端係止片３２はリング２４の基台１４側の裏面に形成された溝３４に係合していることから、レバーの揺動の開始時からその終了時までこの係合状態が維持される。
【００２７】
従って、レバーの揺動中心となる脚３７が基台１４の凹溝１６内で支持されることも手伝って、フォーク３０とレバー１８との滑りが防止され、二股状フォーク３０がレバー１８を均一に押圧付勢することが可能となって、簡単、迅速、そして確実に円筒体２２が丸穴１０に対して均等に圧接される。これ故、円筒体と丸穴間に極めて僅かな隙間すら生じさせることなく、両者間で陰茎包皮を均一に圧潰することが可能となって、余分な包皮をメス等で切除しても出血が一切生じることはない。
【００２８】
然る後、包皮の切断位置を消毒し、前記手術具を組み付けとは逆の順番で取り外すことにより望ましい包茎手術が短時間で終了する。なお、本発明において、前記手術具は、互いに強い力で圧接されることから靱性に優れた材料、例えば、日本工業規格のバネ鋼によって構成することが望ましいが、勿請これに限定されるものではない。
【図面の簡単な説明】
【００２９】
【図１】包茎手術具の組付斜視図を示す。
【図２】包茎手術具の平面図を示す。
【図３】同右側面図を示す。
【図４】同正面図を示す。
【図５】レバー先端とリング体との係合状態を読明する斜視図を示す。
【図６】図２のVI-VI断面図に相当し、包茎手術具の使用状態を示す。
【符号の説明】
【００３０】
１０ 丸穴
１２ クランプボルト
１４ 基台
１６ 凹溝
２０ ナット
２２ 円筒体
２３ 円筒体のテーバ部
２４ リング
２６ 基台
２７ 脚
２８ 長穴
３０ フォーク
３２ 係止片
３４ 溝
【図１】
2007152133.tif 000003
【図２】
2007152133.tif 000004
【図３】
2007152133.tif 000005
【図４】
2007152133.tif 000006
【図５】
2007152133.tif 000007
【図６】
2007152133.tif 000008